(57)【要約】【課題】非接触で皮膚を加温できる美容機器を提供する。【解決手段】美容機器１０は、人体の皮膚を加温するものである。美容機器１０は、フィルム状のヒータユニット層１８と、パッド２０とを備える。ヒータユニット層１８は、空間３を挟んでユーザ１の顔面２の皮膚に対向して配置され、皮膚に向けて輻射熱を放出する。パッド２０は、ヒータユニット層１８と皮膚との間に空間３を形成する。これによれば、ヒータユニット層１８を顔面２の皮膚に接触させないで、ヒータユニット層１８からの輻射熱によって顔面２の皮膚を加温することができる。【選択図】図２
2018138128.tif 000002
【特許請求の範囲】
【請求項１】
人体の皮膚を加温する美容機器であって、
空間（３）を挟んで前記皮膚に対向して配置され、前記皮膚に向けて輻射熱を放出するフィルム状のヒータ層（２２）と、
前記ヒータ層の前記皮膚側に配置され、前記ヒータ層と前記皮膚との間に前記空間を形成する空間形成部材（２０）とを備える美容機器。
【請求項２】
前記ヒータ層は、ユーザの顔面を覆うことができる形状を有するとともに、空間を挟んでユーザの顔面の前記皮膚に対向して配置され、
前記空間形成部材は、前記ヒータ層と前記顔面の前記皮膚との間に空間を形成する請求項１に記載の美容機器。
【請求項３】
前記美容機器は、さらに、前記ヒータ層を覆う外装部材（１６）を備え、
前記外装部材は、前記ヒータ層の反ユーザ側に配置される請求項２に記載の美容機器。
【請求項４】
前記ヒータ層のうちユーザの目に対応する部位に空間部（１８ａ）が形成されており、
前記外装部材のうちユーザの目に対応する部位は、光透過性を有する請求項３に記載の美容機器。
【請求項５】
前記ヒータ層は、複数の領域（Ｒ１、Ｒ２、Ｒ３、Ｒ４、Ｒ５）を有し、
前記美容機器は、さらに、前記複数の領域のそれぞれの温度を独立して制御する制御部（４０）を備える請求項１ないし４のいずれか１つに記載の美容機器。
【請求項６】
前記美容機器は、さらに、前記ヒータ層および前記空間形成部材を人体に固定する固定部材（１４）を備える請求項１ないし５のいずれか１つに記載の美容機器。
【請求項７】
前記美容機器は、前記ヒータ層へ電力を供給する電源装置（４２）と、ユーザに装着される装着部材（１４）とを備え、
前記電源装置は、前記装着部材（１４）に設けられている請求項１ないし５のいずれか１つに記載の美容機器。
【請求項８】
前記ヒータ層にユーザが触れたときに、ユーザが触れた部分の温度が急速に低下するという特性を有するように、前記ヒータ層が構成されている請求項１ないし７のいずれか１つに記載の美容機器。
【請求項９】
前記ヒータ層は、通電によって発熱して輻射熱を放出する複数の発熱部（３６）を有し、
前記複数の発熱部のそれぞれは、膜状であり、かつ、線状に延びている請求項８に記載の美容機器。
【請求項１０】
前記ヒータ層は、さらに、前記複数の発熱部よりも熱伝導性が低い複数の低熱伝導部（３７）を有し、
前記複数の低熱伝導部のそれぞれは、前記複数の発熱部のうち隣り合う発熱部の間に配置されている請求項９に記載の美容機器。
【請求項１１】
前記美容機器は、さらに、前記ヒータ層へのユーザの接触を防止する網状部材（２８）を備え、
前記網状部材は、前記ヒータ層のユーザ側に配置される請求項１ないし１０のいずれか１つに記載の美容機器。
【発明の詳細な説明】
【技術分野】
【０００１】
本発明は、人体の皮膚を加温する美容機器に関する。
【背景技術】
【０００２】
特許文献１に、顔の温熱美容に用いられる発熱性美容パックが開示されている。この発熱性美容パックは、発熱性を有するシート状のマスクである。このパックは、化粧水を含有する。このパックは、この顔面に密着させて使用される。このパック自体が発熱することで、化粧水の皮膚への浸透が向上する。
【先行技術文献】
【特許文献】
【０００３】
【特許文献１】特開２０１４−１２９３１３号公報
【発明の概要】
【発明が解決しようとする課題】
【０００４】
上記の従来技術のような発熱性美容パックで皮膚を加温する場合、パックを皮膚に密着させる必要がある。このため、パックが皮膚に密着するように、パックを皮膚に貼る作業が必要となる。特に、パックを顔面に貼る場合、起伏を有する顔面の形状に合わせてパックを貼らなければならない。よって、パックで皮膚を加温する場合、ユーザの手間がかかる。そこで、パックを貼る手間を解消するために、加熱対象の皮膚に非接触の状態で、皮膚を加温できることが望まれる。
【０００５】
本発明は上記点に鑑みて、非接触で皮膚を加温できる美容機器を提供することを目的とする。
【課題を解決するための手段】
【０００６】
上記目的を達成するため、請求項１に記載の発明は、
人体の皮膚を加温する美容機器であって、
空間（３）を挟んで皮膚に対向して配置され、皮膚に向けて輻射熱を放出するフィルム状のヒータ層（２２）と、
ヒータ層の皮膚側に配置され、ヒータ層と皮膚との間に空間を形成する空間形成部材（２０）とを備える。
【０００７】
これによれば、ヒータ層を皮膚に接触させないで、ヒータ層からの輻射熱によって皮膚を加温することができる。
【０００８】
なお、この欄および特許請求の範囲で記載した各手段の括弧内の符号は、後述する実施形態に記載の具体的手段との対応関係を示す一例である。
【図面の簡単な説明】
【０００９】
【図１】第１実施形態における美容機器の外観を示す図である。
【図２】図１のII−II線断面図である。
【図３】図１の美容機器の分解斜視図である。
【図４】第１実施形態におけるヒータユニット層の断面図である。
【図５】第１実施形態におけるヒータ本体層の平面図である。
【図６】図５のVI−VI線断面図である。
【図７】第１実施形態における美容機器の電気的構成を示すブロック図である。
【図８】第２実施形態におけるヒータ本体層と制御部とを説明するための図である。
【図９】第３実施形態におけるヒータユニット層のユーザ側の面を示す図である。
【図１０】図９のX−X線断面図である。
【発明を実施するための形態】
【００１０】
以下、本発明の実施形態について図に基づいて説明する。なお、以下の各実施形態相互において、互いに同一もしくは均等である部分には、同一符号を付して説明を行う。
【００１１】
（第１実施形態）
図１、２に示すように、本実施形態の美容機器１０は、ユーザ１の顔面２に装着される。美容機器１０は、輻射熱によって顔面２の皮膚を加温する。すなわち、美容機器１０は、体の外から顔面２に温熱を与える。美容機器１０は、マスク本体部１２と、ヘッドバンド１４とを備える。マスク本体部１２は、ユーザ１の顔面２に対向して配置されたときに、ユーザ１の顔面２を覆う。ヘッドバンド１４は、マスク本体部１２を加温対象部である顔面２に固定する固定部材である。ヘッドバンド１４は頭にかけられる。これにより、マスク本体部１２がユーザ１の顔面２に固定される。
【００１２】
図３に示すように、マスク本体部１２は、ハーフミラー層１６と、ヒータユニット層１８と、パッド２０とを有する。
【００１３】
ハーフミラー層１６は、マスク本体部１２の外装部材である。ハーフミラー層１６は、図２に示すように、ヒータユニット層１８の反ユーザ側に積層されている。ハーフミラー層１６は、ヒータユニット層１８を覆うことができる形状および大きさである。すなわち、ハーフミラー層１６は、顔面２を覆うことができる形状および大きさである。図示しないが、ハーフミラー層１６は、樹脂材料などの透明な部材と、透明な部材の表面にアルミニウムなどの金属材料が蒸着された表面層とを有している。
【００１４】
ハーフミラー層１６は、光透過性を有する。このため、ユーザ１は、美容機器１０の装着時に、ユーザ１の周りを見ることができる。より具体的には、ハーフミラー層１６の一方側の空間が明るく他方側の空間が暗いとき、明るい側からの光の一部がハーフミラー層１６で反射し、明るい側からの光の他の一部が透過する。これにより、明るい側からハーフミラー層１６を見ると、ハーフミラー層１６は鏡として機能する。暗い側からハーフミラー層１６を見ると、ハーフミラー層１６は、明るい側が見える半透明な部材として機能する。マスク本体部１２の装着時では、マスク本体部１２のユーザ側が暗い側となり、マスク本体部１２の反ユーザ側が明るい側となる。このため、マスク本体部１２の装着時では、ユーザ１はユーザ１の周りを見ることができるが、ユーザ１以外の人からはユーザ１の顔が見えない。
【００１５】
ヒータユニット層１８は、フィルム状のヒータ部を有するヒータ装置である。ヒータユニット層１８は、ハーフミラー層１６の内側、すなわち、ユーザ側に積層されている。ヒータユニット層１８は、顔面２を覆うことができる形状および大きさである。ヒータユニット層１８には、マスク本体部１２の装着時にユーザ１の目に対応する位置に２つの開口部１８ａが形成されている。２つの開口部１８ａのそれぞれは空間部である。このため、マスク本体部１２の装着時に、ヒータユニット層１８は、ユーザ１の額、鼻、口、頬、顎などを覆う。ヒータユニット層１８は、通電によって発熱してユーザ１の顔面２に向けて輻射熱を放出する。ヒータユニット層１８の詳細については後述する。
【００１６】
パッド２０は、図２に示すように、ヒータユニット層１８と顔面２の皮膚との間に空間３を形成する空間形成部材である。図３に示すように、パッド２０は、顔面２の輪郭に沿った環形状である。パッド２０は、ヒータユニット層１８のユーザ側、すなわち、皮膚側であって、ヒータユニット層１８の周縁部の全域に積層される。図２に示すように、マスク本体部１２の装着時では、パッド２０は、ユーザ１の顔面２の周縁部の全域に接触する。パッド２０は、発泡ウレタンなどの発泡樹脂材料で構成される。なお、パッド２０は、クッション性およびシール性を有する他の材料で構成されていてもよい。
【００１７】
パッド２０によって、マスク本体部１２の装着時に、ヒータユニット層１８はユーザ１の顔面２に直に触れない。また、パッド２０が環形状であることによって、マスク本体部１２の装着時に、ヒータユニット層１８と顔面２との間に閉じられた空間３が形成される。
【００１８】
パッド２０は、２つのバンド固定部２０１が設けられている。２つのバンド固定部２０１のそれぞれに、ヘッドバンド１４の２つの端部１４１のそれぞれが固定される。
【００１９】
図４に示すように、ヒータユニット層１８は、ヒータ本体層２２と、断熱層２４と、表皮層２６とを有する。ヒータ本体層２２は、通電により発熱して輻射熱を放出するフィルム状のヒータ部である。本実施形態では、ヒータ本体層２２が、空間を挟んで皮膚に対向して配置され、皮膚に向けて輻射熱を放出するヒータ層に対応する。
【００２０】
断熱層２４は、ヒータ本体層２２の反ユーザ側、すなわち、ハーフミラー層１６側に積層されている。断熱層２４は、ヒータ本体層２２からハーフミラー層１６側への熱移動を抑制する層である。断熱層２４によって、ヒータ本体層２２からハーフミラー層１６側への熱の流出が抑制される。
【００２１】
表皮層２６は、ヒータ本体層２２のユーザ側に積層されている。表皮層２６は、ヒータ本体層２２を保護するための層であるとともに、ヒータ本体層２２のユーザ側の意匠性確保のための層である。表皮層２６は、織物、不織布などの布で構成されている。
【００２２】
図５、６に示すように、ヒータ本体層２２は、基板部３０と、一対の電極３２、３４と、複数の発熱部３６とを有する。図中の矢印で示すＸ軸方向、Ｙ軸方向、Ｚ軸方向は、互いに直交する方向である。Ｘ軸方向およびＹ軸方向が、ヒータ本体層２２の表面に平行な方向、すなわち、ヒータ本体層２２の面方向である。Ｚ軸方向が、ヒータ本体層２２の厚さ方向である。
【００２３】
基板部３０は、フィルム状である。基板部３０の内部に、一対の電極３２、３４と、複数の発熱部３６とが配置されている。基板部３０は、絶縁材料としての可撓性を有する合成樹脂で構成されている。合成樹脂は、例えば、熱可塑性樹脂である。
【００２４】
一対の電極３２、３４は、それぞれ、Ｙ軸方向に沿って線状に延びている。一対の電極３２、３４は、Ｘ軸方向で互いに離れて配置されている。一対の電極３２、３４は、複数の発熱部３６に電気的に接続される。
【００２５】
複数の発熱部３６は、通電によって発熱して輻射熱を放射する。複数の発熱部３６は、金属材料で構成されている。複数の発熱部３６は、一対の電極３２、３４の間に並列に配置されている。１つの発熱部３６は、一対の電極３２、３４の間で、Ｘ軸方向に沿って線状に延びている。１つの発熱部３６の一端側は、一方の電極３２と電気的に接続されている。第１発熱部３６の他端側は、一対の電極３２、３４の他方の電極３４と電気的に接続されている。図６に示すように、１つの発熱部３６は、膜状である。
【００２６】
図５に示すように、基板部３０の内部において、複数の発熱部３６のうち隣り合う２つの発熱部３６の間には、低熱伝導部３７が存在する。低熱伝導部３７は、発熱部３６よりも熱伝導性が低い部分である。低熱伝導部３７は、隣り合う発熱部３６同士を熱的に分離している。低熱伝導部３７は、基板部３０を構成する絶縁材料によって構成されている。
【００２７】
このように、ヒータ本体層２２は、膜状である複数の発熱部３６と、複数の低熱伝導部３７とを有する。発熱部３６が膜状であることにより、発熱部３６の熱容量が小さくされている。
【００２８】
さらに、発熱して輻射熱を放射する発熱部が複数の発熱部３６によって構成されている。より具体的には、１つの発熱部３６は細長い形状を有する。これにより、発熱部３６の長さ方向の熱抵抗が大きくされている。
【００２９】
隣り合う２つの発熱部３６の間に低熱伝導部３７が配置されている。これにより、隣り合う２つの発熱部３６の間の熱抵抗が大きくされている。これらの結果、ヒータ本体層２２の面方向での熱抵抗が大きくされている。すなわち、発熱部が面方向で連続する１つの発熱部で構成されている場合と比較して、面方向の熱移動が抑制されている。
【００３０】
このため、ヒータ本体層２２がユーザ１の指や顔面２などに触れられて、触れられた部分からユーザ１へ熱が移動したときに、触れられた部分の周囲から触れられた部分への熱移動が抑制される。触れられた部分の温度が速やかに低下する。これにより、ユーザ１への熱的な不快感を低減することができる。
【００３１】
このように、本実施形態では、ヒータ本体層２２にユーザ１が触れたときに、ユーザ１が触れた部分の温度が急速に低下するという特性をヒータ本体層２２が有するように、ヒータ本体層２２が構成されている。
【００３２】
図７に示すように、美容機器１０は、制御部４０と、電池４２と、操作部４４とを備える。
【００３３】
制御部４０は、ヒータ本体層２２の複数の発熱部３６の通電を制御する。これにより、制御部４０は、ヒータ本体層２２の温度を制御する。本実施形態では、制御部４０は、複数の発熱部３６の通電量を、ヒータ本体層２２の全体で一律に制御する。これにより、制御部４０は、ヒータ本体層２２の温度をヒータ本体層２２の全体で一律に制御する。また、制御部４０は、ヒータユニット層１８に設けられている。
【００３４】
電池４２は、ヒータ本体層２２へ電力を供給する電源装置である。電池４２としては、一次電池、二次電池などの種々の電池の利用が可能である。図３に示すように、電池４２はヘッドバンド１４の内部に設けられている。
【００３５】
操作部４４は、ユーザ１に操作される。操作部４４は、電源スイッチなどのスイッチを有する。操作部４４は、ユーザ１の操作に応じた信号を制御部４０に出力する。図３に示すように、操作部４４は、ヘッドバンド１４に設けられている。
【００３６】
次に、本実施形態の美容機器１０の使用方法について説明する。
【００３７】
ユーザ１は、顔面２の皮膚に化粧水を付ける。その後、ユーザ１は、美容機器１０を装着する。すなわち、ユーザ１は、マスク本体部１２が顔面２を覆うように、マスク本体部１２を顔面２に対向させる。その後、操作部４４の電源スイッチをオンにする。なお、ユーザ１が美容機器１０を装着する前に、ユーザ１が電源スイッチをオンにしてもよい。
【００３８】
これにより、ヒータ本体層２２が通電によって発熱して輻射熱を放出する。この輻射熱によってユーザ１の顔面２の皮膚が加温される。顔面２の皮膚が加温されることで、顔面２の皮膚への化粧水の浸透が向上する。
【００３９】
次に、本実施形態の美容機器１０の効果について説明する。
【００４０】
（１）本実施形態の美容機器１０は、図２に示すように、ヒータユニット層１８と、パッド２０とを備える。これによれば、パッド２０によって、ヒータユニット層１８が空間３を挟んで顔面２の皮膚に対向して配置される。このため、ヒータユニット層１８を顔面の皮膚に接触させない状態で、ヒータ本体層２２からの輻射熱によって顔面２の皮膚を加温することができる。
【００４１】
従来の発熱性美容パックを用いる場合では、パックを皮膚に密着させる作業が必要である。この作業では、個人の顔面２の形状に合わせて、パックを皮膚に貼らなければならない。このため、従来の発熱性美容パックで皮膚を加温する場合、ユーザ１の手間がかかる。
【００４２】
これに対して、本実施形態の美容機器１０によれば、ユーザ１の顔面２にヒータユニット層１８を被せることで、顔面２を加温することができる。ユーザ１の顔面２にヒータユニット層１８を密着させる作業が必要ない。顔面２に対するヒータユニット層１８の位置が多少ずれても、顔面２を加温することができる。このため、従来の発熱性美容パックを用いる場合と比較して、ユーザ１の手間を低減することができる。
【００４３】
（２）本実施形態の美容機器１０では、ヒータ本体層２２にユーザ１が触れたときに、ユーザ１が触れた部分の温度が急速に低下するという特性をヒータ本体層２２が有するように、ヒータ本体層２２が構成されている。
【００４４】
ここで、輻射熱により皮膚を十分に加温させるためには、放射する側のヒータ本体層２２の温度が高温である必要がある。本実施形態と異なり、ヒータ本体層２２が、上記の特性を有していない場合を想定する。この場合、ヒータ本体層２２を高温にすると、ヒータ本体層２２を含むヒータユニット層１８にユーザ１が触れたときに、ユーザ１へ熱的不快感を与える。このため、ヒータ本体層２２を十分に高温にできない問題が生じる。
【００４５】
これに対して、本実施形態の美容機器１０によれば、ヒータ本体層２２が上記の特性を有する。これにより、ヒータ本体層２２の温度を高温（例えば、１００℃）にしても、ヒータユニット層１８にユーザ１が触れた瞬間に、ヒータ本体層２２の温度が低下する。このため、ユーザ１に与える熱的不快感を低減することができる。よって、ヒータ本体層２２が上記の特性を有していない場合と比較して、ヒータ本体層２２を高温に設定することができる。したがって、ヒータ本体層２２の温度を化粧水の浸透の向上に必要な温度に設定することができる。
【００４６】
また、ヒータ本体層２２が上記の特性を有することにより、顔面２の皮膚からヒータ本体層２２までの距離を短く設定することができる。
【００４７】
なお、ヒータユニット層１８の表皮層２６として、熱抵抗が非常に大きなものを用いることが好ましい。例えば、ヒータ本体層２２の基板部３０を構成する材料よりも熱抵抗が大きい表皮層２６を用いる。これにより、ヒータユニット層１８にユーザ１が触れたときに、ユーザ１が触れた部分の温度をより急速に低下させることができる。
【００４８】
（３）本実施形態の美容機器１０は、ヘッドバンド１４を備える。
【００４９】
ここで、従来の発熱性美容パックを用いる場合では、発熱性美容パックが皮膚から離れると加温できない。このため、皮膚の加温時に、ユーザ１が動けないという問題がある。または、発熱性美容パックをユーザ１が手で押さえなければならない。このため、皮膚の加温時に、ユーザ１は別作業をすることができないという問題がある。
【００５０】
これに対して、本実施形態の美容機器１０によれば、ヘッドバンド１４によって、ヒータ本体層２２およびパッド２０をユーザ１の顔面２に固定することができる。このため、皮膚の加熱時にユーザ１が動くことができる。また、ヒータ本体層２２およびパッド２０をユーザ１が手で押さえる必要がない。このため、皮膚の加温時に、ユーザ１は別作業をすることができる。
【００５１】
（４）本実施形態の美容機器１０は、ハーフミラー層１６を備える。
【００５２】
ここで、従来の発熱性美容パックを用いる場合、ユーザ１は、発熱性美容パックを顔面２に付けている姿を他人には見られたくない感情を抱く。
【００５３】
これに対して、本実施形態では、マスク本体部１２の装着時に、ハーフミラー層１６が他人に見られる。ハーフミラー層１６に覆われている顔面２は他人に見られない。ハーフミラー層１６は、発熱性美容パックよりも見栄えがよい。このため、発熱性美容パックを付ける場合と比較して、顔面２に装着している姿を他人に見せたくないという感情をユーザ１が抱くことを抑制できる。
【００５４】
また、ハーフミラー層１６は、反ユーザ側からユーザ側への光透過性を有している。ヒータユニット層１８は、ユーザ１の視界を遮らないように２つの開口部１８ａが形成されている。
【００５５】
これらにより、マスク本体部１２の装着時に、ユーザ１はユーザ１の周りを見ることができる。すなわち、マスク本体部１２の装着時におけるユーザ１の外界視界を確保することができる。このことによっても、マスク本体部１２の装着時に、ユーザ１は別作業を行うことができる。
【００５６】
なお、本実施形態では、ヒータユニット層１８に２つの開口部１８ａが形成されていたが、これに限定されない。ヒータユニット層１８のうちユーザ１の目に対応する部位が除去されていてもよい。要するに、ヒータユニット層１８のうちヒータユニット層１８がユーザ１の顔面２に対向して配置されたときにユーザ１の目に対向する位置に空間部が形成されていればよい。
【００５７】
（５）本実施形態の美容機器１０では、ヘッドバンド１４に電池４２が設けられている。ヒータ本体層２２は、この電池４２から電力が供給される。これにより、皮膚の加温時にユーザの移動範囲が制限されない。ヒータ本体層２２が電池ではなく家庭用電源から電力が供給される場合と比較して、皮膚の加温時にユーザ１は自由に移動することができる。
【００５８】
（第２実施形態）
本実施形態は、ヒータ本体層２２の温度制御が第１実施形態と異なる。美容機器１０のその他の構成は第１実施形態と同じである。
【００５９】
図８に示すように、ヒータ本体層２２は、独立して温度制御される複数の領域Ｒ１、Ｒ２、Ｒ３、Ｒ４、Ｒ５を有する。複数の領域Ｒ１、Ｒ２、Ｒ３、Ｒ４、Ｒ５のそれぞれは、制御部４０と電気的に接続されている。複数の領域Ｒ１、Ｒ２、Ｒ３、Ｒ４、Ｒ５のそれぞれは、ユーザ１の顔面２の各部位に対応する。具体的には、領域Ｒ１は額に対応する。領域Ｒ２は鼻に対応する。領域Ｒ３、Ｒ４は頬に対応する。領域Ｒ５は顎に対応する。
【００６０】
制御部４０は、複数の領域Ｒ１、Ｒ２、Ｒ３、Ｒ４、Ｒ５のそれぞれの通電量を独立して制御する。これにより、制御部４０は、複数の領域Ｒ１、Ｒ２、Ｒ３、Ｒ４、Ｒ５のそれぞれの温度を独立して制御する。制御部４０は、領域毎に予め設定された目標温度となるように、複数の領域Ｒ１、Ｒ２、Ｒ３、Ｒ４、Ｒ５のそれぞれのヒータ温度を制御する。また、操作部４４をユーザ１が操作することで、複数の領域Ｒ１、Ｒ２、Ｒ３、Ｒ４、Ｒ５のそれぞれの目標温度がユーザ１によって設定される。この場合、制御部４０は、領域毎にユーザ１に設定された目標温度となるように、複数の領域Ｒ１、Ｒ２、Ｒ３、Ｒ４、Ｒ５のそれぞれのヒータ温度を制御する。
【００６１】
化粧水の特性が異なると、効率的に化粧水成分を浸透させるための皮膚の温度が異なる。このため、ユーザ１が顔面２の異なる部位（例えば、額と頬）に、異なる特性の化粧水を付けた場合、顔面２の部位毎に異なる温度で加温することが必要となる。
【００６２】
これに対して、本実施形態によれば、複数の領域Ｒ１、Ｒ２、Ｒ３、Ｒ４、Ｒ５のそれぞれを異なる温度にすることができる。よって、化粧水成分の浸透効率を高めるために、複数の領域Ｒ１、Ｒ２、Ｒ３、Ｒ４、Ｒ５のそれぞれの温度を所望の温度にすることができる。
【００６３】
（第３実施形態）
本実施形態は、ヒータユニット層１８の構造が第１実施形態と異なる。美容機器１０のその他の構成は第１実施形態と同じである。
【００６４】
図９、１０に示すように、ヒータユニット層１８は、ヒータ本体層２２と、網状部材２８とを有する。ヒータ本体層２２は、通電によって発熱して輻射熱を放出する点は第１実施形態と同じである。しかし、ヒータ本体層２２は、ヒータ本体層２２にユーザ１が触れたときに、ユーザ１が触れた部分の温度が急速に低下するという特性を有していない。例えば、ヒータ本体層２２は、熱容量が大きな１つの発熱体で構成されている。
【００６５】
網状部材２８は、ヒータ本体層２２へのユーザ１の接触を防止する。網状部材２８は、ヒータ本体層２２のユーザ側に、ヒータ本体層２２から離れて配置されている。網状部材２８は、樹脂製である。網状部材２８は、網状に配置された複数の線状部材２８１で構成されている。網状部材２８は、複数の網目２８２が形成されている。複数の網目２８２は、複数の線状部材２８１によって形成されている。複数の網目２８２は、複数の線状部材２８１によって囲まれた空間である。本実施形態では、複数の線状部材２８１は格子状に配置されている。なお、複数の網目２８２が形成されていれば、複数の線状部材２８１は格子状以外の状態で配置されていてもよい。また、網状部材２８は、１つの線状部材によって構成されていてもよい。
【００６６】
ヒータ本体層２２からの輻射熱は、網状部材２８の複数の網目２８２を伝搬する。また、網状部材２８の複数の線状部材２８１がヒータ本体層２２とユーザ１との間に位置する。このため、ヒータ本体層２２にユーザ１が触れようとしても、複数の線状部材２８１にユーザ１が接触するだけで、ユーザ１はヒータ本体層２２に触れることはない。
【００６７】
よって、本実施形態によれば、ヒータ本体層２２へのユーザ１の接触を防止しつつ、ユーザ１の皮膚を加温することができる。また、本実施形態によれば、網状部材２８によってヒータ本体層２２への接触が防止されるので、ヒータ本体層２２として第１実施形態とは異なるものを採用できる。
【００６８】
なお、本実施形態では、複数の線状部材２８１によって、ヒータ本体層２２からの輻射熱が遮られる。このため、本実施形態では、網状部材２８が無い場合と比較して、輻射熱による加温効果が低減する。
【００６９】
また、本実施形態では、ヒータ本体層２２が、ユーザ１が触れた部分の温度が急速に低下するという特性を有していない。しかし、第１実施形態と同様に、この特性を有するように、ヒータ本体層２２が構成されていてもよい。これによれば、第１実施形態の効果と第３実施形態の効果の両方が得られる。
【００７０】
（他の実施形態）
（１）上記各実施形態では、マスク本体部１２の外装部材としてハーフミラー層１６を用いた。しかし、他の外装部材を用いてもよい。他の外装部材は、全体が半透明の部材で構成されていてもよい。この場合、外装部材の表面に模様や絵などが描かれていてもよい。この場合においても、外装部材が光透過性を有することで、マスク本体部１２の装着時に、ユーザ１はユーザ１の周りを見ることができる。また、外装部材の表面に模様や絵などを描くことができる。外装部材の外観のデザインを自由に選定できる。このため、発熱性美容パックよりも外装部材の見栄えがよい。よって、発熱性美容パックを付ける場合と比較して、顔面２に装着している姿を他人に見せたくないという感情をユーザ１が抱くことを抑制できる。
【００７１】
また、他の外装部材は、不透明な部材であってもよい。この場合、外装部材のうちユーザ１の目に対応する部位に、２つの開口部が形成される。なお、２つの開口部が形成される代わりに、外装部材のうちユーザ１の目に対応する部位が除去されていてもよい。要するに、外装部材のうちユーザ１の目に対応する部位に空間部が形成されていればよい。これによれば、マスク本体部１２の装着時に、ユーザ１は周りを見ることができる。
【００７２】
（２）上記各実施形態では、パッド２０が環形状であった。すなわち、パッド２０がヒータユニット層１８の周縁部の全域に積層されていた。しかし、パッド２０がヒータユニット層１８の周縁部の一部に積層されていてもよい。
【００７３】
（３）上記各実施形態では、制御部４０はヒータユニット層１８に設けられていた。しかし、制御部４０は、ヒータユニット層１８とは別の部材に設けられてもよい。別の部材としてはヘッドバンド１４が挙げられる。また、別の部材は、ヘッドバンド１４とは別に、ユーザ１に装着される制御部４０専用の装着部材であってもよい。
【００７４】
（４）上記各実施形態では、電池４２と操作部４４とのそれぞれが、ヘッドバンド１４に設けられていた。ヘッドバンド１４は、マスク本体部１２をユーザ１に固定するために、ユーザ１に装着される装着部材である。しかし、電池４２と操作部４４とのそれぞれは、ヘッドバンド１４ではなく、ユーザ１に装着される専用の装着部材（例えば、リストバンドなど）に設けられてもよい。これによっても、皮膚の加温時にユーザ１は自由に移動することができる。ただし、美容機器１０の部品点数を少なくするという観点では、電池４２と操作部４４とのそれぞれが、ヘッドバンド１４に設けられることが好ましい。
【００７５】
（５）上記各実施形態では、マスク本体部１２を顔面２に固定する固定部材として、ヘッドバンド１４が用いられていた。しかし、マスク本体部１２を顔面２に固定できれば他の部材が用いられてもよい。
【００７６】
（６）上記した各実施形態では、化粧水を顔面２の皮膚に付けて、美容機器１０で顔面２の皮膚を加温したが、これに限定されない。発熱性が無く化粧水を含有する化粧水パックを顔面２の皮膚に貼り付けた状態で、美容機器１０で顔面２の皮膚を加温してもよい。この場合でも、本発明の美容機器１０によって温熱効果を与えることで、浸透率を上げる効果が得られる。また、この場合、化粧水パックをしている姿を他人に見られない効果も得られる。
【００７７】
また、化粧水以外の基礎化粧品を顔面２の皮膚に付けた状態で、美容機器１０で顔面２の皮膚を加温してもよい。基礎化粧品は、皮膚用化粧品とも呼ばれる。また、顔面２の皮膚に何も付けない状態で、容機器で顔面２の皮膚を加温してもよい。
【００７８】
（７）上記した各実施形態では、美容機器１０の加温対象が顔面２の皮膚であった。しかし、美容機器１０の加温対象は、ユーザ１の顔面２以外の皮膚であってもよい。この場合、ヒータユニット層１８は、人体の皮膚を覆うことができる形状および大きさであればよい。パッド２０は、ヒータユニット層１８と人体の皮膚との間に空間３を形成する形状および大きさであればよい。また、美容機器１０は、ヘッドバンド１４の替わりに、ヒータ本体層２２およびパッド２０を人体に固定する固定部材を備える。また、この場合、美容機器１０が固定部材と外装部材の一方または両方を備えていなくてもよい。
【００７９】
（８）本発明は上記した実施形態に限定されるものではなく、特許請求の範囲に記載した範囲内において適宜変更が可能であり、様々な変形例や均等範囲内の変形をも包含する。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００８０】
（まとめ）
上記各実施形態の一部または全部で示された第１の観点によれば、美容機器は、ヒータ層と空間形成部材とを備える。
【００８１】
また、第２の観点によれば、ヒータ層は、ユーザの顔面を覆うことができる形状を有するとともに、空間を挟んでユーザの顔面の皮膚に対向して配置される。空間形成部材は、ヒータ層と顔面の皮膚との間に空間を形成する。
【００８２】
第２の観点のように、第１の観点の美容機器を顔面の加温に用いることができる。これによれば、ユーザの顔面にヒータ層を被せることで、顔面の皮膚を加温することができる。ユーザの顔面にヒータ層を密着させる作業が必要ない。このため、従来の発熱性美容パックを用いる場合と比較して、ユーザの手間を低減することができる。
【００８３】
また、第３の観点によれば、美容機器は、さらに、ヒータ層を覆う外装部材を備える。外装部材は、ヒータ層の反ユーザ側に配置される。
【００８４】
これによれば、ユーザの顔面の皮膚の加温時に、外装部材によってユーザの顔を見えにくくすることができる。また、外装部材の外観のデザインを自由に選定できる。このため、従来の発熱性美容パックよりも見栄えをよくすることができる。
【００８５】
また、第４の観点によれば、ヒータ層のうちユーザの目に対応する部位に空間部が形成されている。外装部材のうちユーザの目に対応する部位は、光透過性を有する。
【００８６】
これによれば、ユーザの顔面の皮膚の加温時に、ユーザはユーザの周りを見ることができる。
【００８７】
また、第５の観点によれば、ヒータ層は、複数の領域を有する。美容機器は、さらに、複数の領域のそれぞれの温度を独立して制御する制御部を備える。
【００８８】
これによれば、複数の領域のそれぞれを異なる温度にすることができる。よって、化粧水の浸透効率を高めるなどの目的に応じて、複数の領域のそれぞれの温度を所望の温度にすることができる。
【００８９】
また、第６の観点によれば、美容機器は、さらに、ヒータ層および空間形成部材を人体に固定する固定部材を備える。
【００９０】
これによれば、固定部材によってヒータ層を人体に固定することができる。このため、皮膚の加温時にユーザは動くことができる。また、ユーザがヒータ層を手で押さえる必要がない。このため、皮膚の加温時にユーザは別作業をすることができる。
【００９１】
また、第７の観点によれば、美容機器は、ヒータ層へ電力を供給する電源装置と、ユーザに装着される装着部材とを備える。電源装置は、装着部材に設けられている。
【００９２】
これによれば、皮膚の加温時にユーザは自由に移動することができる。
【００９３】
また、第８の観点によれば、ヒータ層にユーザが触れたときに、ユーザが触れた部分の温度が急速に低下するという特性を有するように、ヒータ層が構成されている。
【００９４】
これによれば、ヒータ層への接触による熱的な不快感をユーザに与えることを防止することができる。よって、輻射熱によって皮膚を十分に加温するために、ヒータ層を高温に設定することができる。
【００９５】
また、第９の観点によれば、ヒータ層は、通電によって発熱して輻射熱を放出する複数の発熱部を有する。複数の発熱部のそれぞれは、膜状であり、かつ、線状に延びている。第８の観点における具体的なヒータ層の構成として、第９の観点に記載のヒータ層の構成を採用できる。
【００９６】
また、第１０の観点によれば、ヒータ層は、さらに、複数の発熱部よりも熱伝導性が低い複数の低熱伝導部を有する。複数の低熱伝導部のそれぞれは、複数の発熱部のうち隣り合う発熱部の間に配置されている。第８の観点における具体的なヒータ層の構成として、第１０の観点に記載のヒータ層の構成を採用できる。
【００９７】
また、第１１の観点によれば、美容機器は、さらに、ヒータ層へのユーザの接触を防止する網状部材を備える。網状部材は、ヒータ層のユーザ側に配置される。
【００９８】
これによれば、網状部材によってヒータ層へのユーザの接触を防止することができる。このため、ヒータ層への接触による熱的な不快感をユーザに与えることを防止することができる。よって、輻射熱によって皮膚を十分に加温するために、ヒータ層を高温に設定することができる。
【符号の説明】
【００９９】
１０    美容機器
１４    ヘッドバンド
１６    ハーフミラー層
１８    ヒータ本体層
２０    パッド
２２    ヒータ本体層
４０    制御部
４２    電池
【図１】
2018138128.tif 000003
【図２】
2018138128.tif 000004
【図３】
2018138128.tif 000005
【図４】
2018138128.tif 000006
【図５】
2018138128.tif 000007
【図６】
2018138128.tif 000008
【図７】
2018138128.tif 000009
【図８】
2018138128.tif 000010
【図９】
2018138128.tif 000011
【図１０】
2018138128.tif 000012